(57)【要約】【課題】構造を複雑化すること無く被梱包物を確実に保護し、被梱包物の梱包時および廃棄時の作業性に優れた梱包装置を提供すること。【解決手段】被梱包物１である分離型空気調和機室外機の下側に形成した台枠９と、上側にトレイ状に形成した上部外箱１０からなる梱包装置であって、被梱包物１の側面に直接、複数の緩衝材１２，１３，１４を取り付け、その周囲を覆うように側板１１ａ、１１ｂ、１１ｃを当てがい被梱包物１と側板１１ａ、１１ｂ、１１ｃとの間に一定の空間部を形成することにより、側板が緩衝材によって支持され、折れ曲がりなどを防止でき、構造を複雑化すること無く被梱包物を確実に保護できると共に、側板と緩衝材がテープなどの補助材料で固定されていないので、被梱包物の梱包時および廃棄時の作業性に優れた梱包装置となる。【選択図】図１
2006232365.tif 000002
【特許請求の範囲】
【請求項１】
被梱包物である分離型空気調和機室外機の下側に形成した台枠と、上側にトレイ状に形成した上部外箱からなる梱包装置であって、前記被梱包物の側面に直接、緩衝材を取り付け、その周囲を覆うように側板を当てがい前記被梱包物と前記側板との間に一定の空間部を形成したことを特徴とする梱包装置。
【請求項２】
緩衝材は、被梱包物の外装面に形成された通風口に嵌合する嵌合部によって、前記被梱包物に取り付け固定されることを特徴とする請求項１に記載の梱包装置。
【請求項３】
緩衝材の、被梱包物の通風口に嵌合する嵌合部は、先端に戻り防止用ツメを有した突起部であることを特徴とする請求項２に記載の梱包装置。
【請求項４】
側板と、緩衝材は互いの対応面に有した嵌合部によって、固定されて保持することを特徴とする請求項２または３に記載の梱包装置。
【請求項５】
側板の嵌合部はＴ字状のツメ形状であり、緩衝材の嵌合部は前記側板に設けたツメが嵌め込まれる凹部であって、前記側板は前記緩衝材に固定されて保持することを特徴とする請求項２〜４のいずれか１項に記載の梱包装置。
【請求項６】
側板は、嵌合する緩衝材の数に応じて、分割されることを特徴とする請求項２〜５のいずれか１項に記載の梱包装置。
【発明の詳細な説明】
【技術分野】
【０００１】
本発明は、分離型空気調和機の室外機の梱包に用いられる梱包装置に関するものである。
【背景技術】
【０００２】
従来、この種の梱包装置はトレイ状の上下の外箱の内側に緩衝材を設けたもので、被梱包物である分離型空気調和機の室外機の背面側の熱交換器を板状の緩衝材で覆ってその上下を内側に緩衝材を設けたトレイ状の外箱で梱包し、バンドにて結束して梱包を完成させるものであった（例えば、特許文献１参照）。
【０００３】
図７は、特許文献１に記載された従来の梱包装置の分解斜視図を示すものである。図７に示すように、被梱包物１である分離型空気調和機の室外機と、被梱包物１の背面側の熱交換器を覆った板状の緩衝材７と、内側に緩衝材４ａ，４ｂ，５ａ，５ｂを設けたトレイ状の外箱２，３と、バンド８から構成されている。なお、６は被梱包物１を覆う袋である。
【特許文献１】特開平１０−２０３５６５号公報
【発明の開示】
【発明が解決しようとする課題】
【０００４】
しかしながら、前記従来の構成では、被梱包物１を支持する緩衝材として、被梱包物１の上下左右の四隅を支持する緩衝材４ａ，４ｂ，５ａ，５ｂと、積み込み等の荷扱い中の膝当される場合などから被梱包物１の外装面を保護するために板状の側板７を設置しているが、大型の被梱包物に適用する場合においては外装面を保護する面積が大きく梱包材が大型化するため荷扱い中に外力が加わると側板７が折れ曲がるなど十分な保護効果を得られないため、側板の強度を強くする必要があり高価な梱包状態となる課題を有していた。
【０００５】
さらには、側板７の折れ曲がりなどを防止するために被梱包物１とこの側板７の間に別の緩衝材部品を用いて保護する方法もあるが、テープなどの補助材料で固定する必要があり構造を複雑化するなどの課題を有していた。
【０００６】
本発明は、前記従来の課題を解決するもので、構造を複雑化すること無く被梱包物を確実に保護できながら、被梱包物の梱包時および廃棄時の作業性に優れた梱包装置を提供することを目的とする。
【課題を解決するための手段】
【０００７】
前記従来の課題を解決するために、本発明の梱包装置は、被梱包物である分離型空気調和機室外機の下側に形成した台枠と、上側にトレイ状に形成した上部外箱とを具備し、被梱包物の側面に直接、緩衝材を取り付け、その周囲を覆うように側板を当てがい、被梱包物と側板との間に一定の空間部を形成したものである。
【０００８】
これによって、側板が緩衝材によって支持され、折れ曲がりなどを防止でき、構造を複雑化すること無く被梱包物を確実に保護できると共に、側板と緩衝材がテープなどの補助材料で固定されていないので、被梱包物の梱包時および廃棄時の作業性に優れた梱包装置を提供することができる。
【発明の効果】
【０００９】
本発明の梱包装置は、構造を複雑化すること無く被梱包物を確実に保護でき、更に梱包時および廃棄時の作業性に優れているので、部品や工数のコストダウンが実現できると共
に、廃棄時の分別が容易なため、リサイクルし易いなど環境性にも優れている。
【発明を実施するための最良の形態】
【００１０】
第１の発明は、被梱包物である分離型空気調和機室外機の下側に形成した台枠と、上側にトレイ状に形成した上部外箱からなる梱包装置であって、被梱包物の側面に直接、緩衝材を取り付け、その周囲を覆うように側板を当てがい、被梱包物と側板との間に一定の空間部を形成することにより、側板の支持点が増えることで強度が増し、また空間部が遊びしろとなるので、被梱包物に直接外力が伝わりにくくなる。更に大型の被梱包物に適用する場合においても荷扱い中の膝当てによる外力が加わっても側板が折れ曲がることを防止でき十分な保護効果を得ることができ品質の向上が図れる。
【００１１】
第２の発明は、特に、第１の発明の緩衝材は、嵌合部によって、被梱包物の外装面に形成された通風口に嵌合し、取り付け固定されることで、テープなどの補助材料で固定する必要がない構造であり、被梱包物の梱包時および廃棄時の作業性を向上することができる。
【００１２】
第３の発明は、特に、第２の発明の緩衝材の、被梱包物の通風口に嵌合する嵌合部は、先端に戻り防止用ツメを有した突起部であるとすることにより、テープなどの補助材料で固定する必要がなく、脱着が容易な構造であり、被梱包物の梱包時および廃棄時の作業性を向上することができる。
【００１３】
第４の発明は、特に、第２または３の発明の側板と緩衝材は、互いの対応面に有した嵌合部によって、固定されて保持することにより、テープなどの補助材料で固定する必要がなく、脱着が容易な構造であり、被梱包物の梱包時および廃棄時の作業性を向上することができる。
【００１４】
第５の発明は、特に、第２〜４のいずれか１つの発明の側板の嵌合部はＴ字状のツメ形状であり、緩衝材の嵌合部は側板に設けたツメが嵌め込まれる凹部であって、この嵌合部により、側板は緩衝材に固定されて保持することにより、テープなどの補助材料で固定する必要がなく、脱着が容易な構造であり、被梱包物の梱包時および廃棄時の作業性を向上することができる。
【００１５】
第６の発明は、特に、第２〜５のいずれか１つの発明の側板は、嵌合する緩衝材の数に応じて、分割することにより、各側板にかかる外力に対する応力が強くなり、大型の被梱包物に適用する場合においても荷扱い中の膝当てによる外力が加わっても側板が折れ曲がることを防止でき十分な保護効果を得ることができ品質の向上が図れると共に、側板はそれぞれの緩衝材に固定されて保持する構造であり、被梱包物の梱包時の作業性を向上することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における梱包装置の斜視図、図２は、本発明の第１の実施の形態における梱包装置の分解斜視図を示すものである。
【００１８】
図１、２において、被梱包物１は、本実施の形態では分離型空気調和機の室外機とする。被梱包物１は、複数の木材板で形成した台枠９の上に配置されて、上部にはダンボール等からなるトレイ状に形成した上部外箱１０を被せられる。そして、被梱包物１の側面に直接、複数の緩衝材１２、１３、１４が取り付けられて、その被梱包物１の側面周囲を覆
うように分割された複数の側板１１ａ、１１ｂ、１１ｃを取り付けて外装面を保護する。そして、ほこりなどから被梱包物１を保護する袋６が被せられ、バンド８にて結束して梱包を完成している。
【００１９】
以上のように構成された梱包装置について、以下その動作、作用を説明する。
【００２０】
まず、被梱包物と側板との間に一定の空間部を形成して被梱包物の周囲が覆われ、荷扱い中の膝当てによる外力が加わっても被梱包物と側板の間に設置した緩衝材により側板が折れ曲がることを防止でき被梱包物背面の熱交換機の部分などの外装面の十分な保護効果を得ることができる。
【００２１】
以上のように、本実施の形態においては被梱包物の側面に直接、緩衝材を取り付け、その周囲を覆うように側板を当てがい、被梱包物と側板との間に一定の空間部を形成することにより、側板の支持点が増えることで強度が増し、また空間部が遊びしろとなるので、被梱包物に直接外力が伝わりにくくなる。更に大型の被梱包物に適用する場合においても荷扱い中の膝当てによる外力が加わっても側板が折れ曲がることを防止でき十分な保護効果を得ることができ品質の向上が図ることができる。
【００２２】
（実施の形態２）
図３（ａ）は、本発明の第２の実施の形態の角部の緩衝材の斜視図、（ｂ）は本発明の第２の実施の形態の角部の緩衝材の取り付け状態の一部斜視図、図４（ａ）は、本発明の第２の実施の形態の中央部の緩衝材の斜視図、（ｂ）は本発明の第２の実施の形態の中央部の緩衝材の取り付け状態の一部斜視図である。
【００２３】
図２、図３の（ａ）、（ｂ）、図４（ａ）、（ｂ）に示すように被梱包物１の通風口１６に嵌合する緩衝材１２の嵌合部は、通風口１６に対応する部分が他面より突起して、通風口１６に取り付けた時には通風口１６内部へ入り込むような突起部となっている。また、突起部先端には戻り防止用ツメ１５を有し、緩衝材１２を通風口１６に挿入すると、挿入時に一旦押し縮められた戻り防止用ツメ１５は通風口１６内で元の位置に戻り、戻りを防止する形状となることで、被梱包物１に取り付け固定される。また緩衝材１３においても被梱包物１の通風口１８に対応する部分が他面より突起し、突起部先端には戻り防止用ツメ１７を設けてなり、被梱包物１に挿入して取り付け固定される。
【００２４】
以上のように構成された梱包装置について、以下その動作、作用を説明する。
【００２５】
まず、緩衝材１２、１３は、先端に戻り防止用ツメ１５、１７を有した突起部をもつ嵌合部によって被梱包物１の通風口１６、１８に取り付け固定するため、テープなどの補助材料で固定する必要がない構造であり、しかも挿入固定するだけの簡単装着であるので、被梱包物の梱包時の作業性を向上することができる。
【００２６】
一方、緩衝材１２、１３を被梱包物１の通風口１６、１８から取り外す時には、嵌合部の突起部先端にある戻り防止用ツメ１５、１７を挿入時と同様に一旦押し縮めることによって、容易に取り外すことができ、廃棄時には容易に分別ができる。
【００２７】
以上のように、本実施の形態においては緩衝材の嵌合部を先端に戻り防止用ツメを有した突起部とし、この嵌合部によって被梱包物の外装面に形成された通風口に嵌合し、取り付け固定できるので、テープなどの補助材料で固定する必要がなく、脱着が容易な構造であり、被梱包物の梱包時および廃棄時の作業性を向上することができる。
【００２８】
（実施の形態３）
図５（ａ）は、本発明の第３の実施の形態の図１のＢ−Ｂ線における梱包装置の断面図、（ｂ）は、図１のＡ−Ａ線における梱包装置の断面図、図６（ａ）は、本発明の第３の実施の形態の角部の緩衝材の斜視図、（ｂ）は、角部の梱包装置の斜視図である。
【００２９】
図２、３、４、５、６に示すように側板１１ａの左右端面には上下にＴ字状のツメ１９を設けて、かつ被梱包物１の背面に設置される２枚の側板１１ｂ、１１ｃには左右端面と中間部にＴ字状のツメ２０、２１を設けて、被梱包物１の周囲に取り付ける緩衝材１２、１３には側板１１ｂ、１１ｃに設けたツメ２０、２１が嵌め込まれる凹部２２、２３を設けて、図５の（ａ）、（ｂ）に示すように側板１１ｂ、１１ｃはそれぞれの緩衝材１２、１３に固定される。また、緩衝材１４は側板１１ａ、１１ｂ、１１ｃに設けたツメ１９、２０が嵌め込まれる凹部２４を設け、側板１１ａ、１１ｂ、１１ｃに設けたツメ１９、２０により保持固定される。
【００３０】
以上のように構成された梱包装置について、以下その動作、作用を説明する。
【００３１】
側板１１ａ、１１ｂ、１１ｃはそれぞれの緩衝材１２、１３に固定されて保持され、更に取り付け方法も挿入固定と容易であるため取り付け作業が簡単で被梱包物の梱包時の作業性を向上することができる。
【００３２】
一方、側板１１ａ、１１ｂ、１１ｃを緩衝材１２、１３からそれぞれ取り外す時には、側板１１ａ、１１ｂ、１１ｃの嵌合部のＴ字状のツメ１９、２０、２１を緩衝材１２、１３の嵌合部の凹部２２、２３、２４から容易に取り外すことができ、廃棄時には容易に分別ができる。
【００３３】
以上のように、本実施の形態においては、側板の嵌合部をＴ字状のツメ形状、緩衝材の嵌合部をツメが嵌め込まれる凹部とすることにより、テープなどの補助材料で固定する必要がなく、脱着が容易な構造であり、被梱包物の梱包時および廃棄時の作業性を向上することができる。
【産業上の利用可能性】
【００３４】
以上のように、本発明にかかる梱包装置は、構造を複雑化すること無く被梱包物を確実に保護し、被梱包物の梱包時および廃棄時の作業性・保護性の向上が可能となるもので、小型製品の梱包装置等の用途にも適用できる。
【図面の簡単な説明】
【００３５】
【図１】本発明の実施の形態１における梱包装置の斜視図
【図２】本発明の実施の形態１における梱包装置の分解斜視図
【図３】本発明の実施の形態２における（ａ）は角部の緩衝材の斜視図（ｂ）は角部の緩衝材の取り付け状態の一部斜視図
【図４】本発明の実施の形態２における（ａ）は中央部の緩衝材の斜視図（ｂ）は中央部の緩衝材の取り付け状態の一部斜視図
【図５】本発明の実施の形態３における（ａ）は図１のＢ−Ｂ線における梱包装置の断面図（ｂ）は図１のＡ−Ａ線における梱包装置の断面図
【図６】本発明の実施の形態３における（ａ）は角部の緩衝材の斜視図（ｂ）は角部の梱包装置の斜視図
【図７】従来の梱包装置の分解斜視図
【符号の説明】
【００３６】
１  被梱包物
２、３、１０  外箱
４ａ、４ｂ、５ａ、５ｂ  緩衝材
６  袋
８  バンド
９  台枠
７、１１ａ、１１ｂ、１１ｃ  側板
１２、１３、１４  緩衝材
１５、１７  戻り防止用ツメ
１６、１８  通風口
１９、２０、２１  Ｔ字状のツメ
２２、２３、２４  凹部
【図１】
2006232365.tif 000003
【図２】
2006232365.tif 000004
【図３】
2006232365.tif 000005
【図４】
2006232365.tif 000006
【図５】
2006232365.tif 000007
【図６】
2006232365.tif 000008
【図７】
2006232365.tif 000009